(57)【要約】【目的】自転車サドルカバーに弾性を持たせることにより、大きさ、形状の異なるサドルを被せ、塵埃や風雨などから保護するほかに、サドルよりカバーを取り外した後、カバーは自動的にコンパクトサイズになり、自転車サドル空洞部に収納される自転車サドルカバーを形成する。カバー開口端に獣毛や毛状の合成樹脂などを植え込むことにより、自転車サドルに付着した塵埃を拭き落とすことができる。【構成】防水性または撥水性繊維に、ゴム製バンドまたは弾性に優れるコイルバネなど帯状のものを伸ばした状態で繊維に張り合わせるまたは縫い合わせ、一方が開放された袋状の自転車サドルカバーを形成する。カバー開口端に獣毛や毛状の合成樹脂などを植え込み、カバー全体をカバー中心部に取り付けられたゴム製バンドまたはコイルバネを介し自転車サドルバネ部材の先端部に取り付け、サドルカバー全体がコンパクトサイズでサドル空洞部に収納されることになる。【選択図】図５
2006168485.tif 000002
【特許請求の範囲】
【請求項１】
乗員が腰掛けるためのサドル（１）を有する自転車において、前記サドル（１）の空洞部（２）に自転車サドルカバー（３）を収納可能なことを特徴とする自転車。
【請求項２】
一方が開放された袋状の形状で自転車サドル（１）のバネ部材（４）の先端部（５）に取り付けられ、汚れた時洗濯するため簡単に着脱できること並びに弾性と防水性を併せ持つことを特徴とする自転車サドルカバー（３）。
【請求項３】
ゴム製バンド（６）または弾性に優れるコイルバネなど帯状のものを伸ばした状態で防水性または撥水性繊維（７）などに張り合わせるまたは縫い合わせることを特徴とする自転車サドルカバー（３）。
【請求項４】
自転車サドル（１）に付着した塵埃などを拭き落とすためにサドルカバー（３）の開放端に獣毛や毛状の合成樹脂（８）などを植え込んだことを特徴とする自転車サドルカバー（３）。
【請求項５】
ゴム製バンド（９）またはコイルバネにより自転車サドルバネ部材（４）の先端部（５）に取り付けられた自転車サドルカバー（３）は常時では自転車サドル空洞部（２）に収納され、自転車サドル（１）を掃除するまたはカバーする場合は、ゴム製バンド（９）またはコイルバネの弾性により容易に自転車サドルカバー（３）を必要な位置まで引っ張り出し、自転車サドル（１）より自転車サドルカバー（３）を取り外すと自転車サドルカバー（３）が自動的にコンパクトサイズになり、自転車サドル空洞部（２）に戻り、収納されることを特徴とする自転車サドルカバー（３）。
【発明の詳細な説明】
【技術分野】
【０００１】
本発明は、自転車サドルに付着した塵埃などを掃除するや自転車サドルを風雨などから保護するための自転車サドルカバーに関するものである。
【背景技術】
【０００２】
従来の自転車サドルカバーはサドル空洞内に収納出来ぬ弾性のないプラスチック材質などのもので形成した一方が開放された袋状のものであり、単純に自転車サドルを被せるようになっている。
【発明の開示】
【発明が解決しようとする課題】
【０００３】
従来の自転車サドルカバーは、弾性のない素材で形成されたため、各種自転車サドルの大きさや形状に合わせて作らなければならない他に、取り外した後の収納する良い場所がない。機能について、サドルを被せた後、風雨や塵埃等から保護することが出来るが、サドルに付着した塵埃などを拭き落とすことが出来ない。本発明は弾性を持つサドルカバーであるため、大きさや形状の異なるサドルをカバーできるほかに、カバーを取り外した後自動的にコンパクトサイズになり、サドル空洞部に戻り、収納されることになる。なお、カバーの開放端に植え込んだ獣毛や毛状の合成樹脂などにより、サドルに付着した塵埃などを拭き落とすことも出来る。
【課題を解決するための手段】
【０００４】
上記の目的を達成するため、本発明では、大方円形状の防水性または撥水性繊維にゴム製バンドまたは弾性に優れるコイルバネなど帯状のものを伸ばした状態で張り合わせるまたは縫い合わせることにより、弾性の持つ一方が開放された袋状のものを形成する。さらにこの袋状のものの開放端に獣毛や毛状の合成樹脂などを植え込み、袋全体をゴム製バンドまたはコイルバネを介し、自転車サドルのバネ部材の先端部に取り付ける。そうすることにより、この袋状のものの開放端に植え込んだ獣毛や毛状の合成樹脂などで自転車サドルに付着した塵埃を拭き落とすことができるほか、雨天や埃の多い環境で駐輪する場合、常時サドル空洞部に収納されている袋を引っ張り出し、大きさや形状の異なる自転車サドルをカバーし、風雨や塵埃などからサドルを保護する。サドルより取り外した後、カバーは自動的にコンパクトサイズになり、自転車サドル空洞部に戻り、収納されることになる。
【発明の効果】
【０００５】
本発明は、以上説明したように構成されているので、以下に記載されるような効果を奏する。
複数のゴム製バンドまたは弾性に優れるコイルバネなど帯状のものを伸ばした状態で防水性または撥水性繊維に張り合わせるまたは縫い合わせるほかに、カバー全体がゴム製バンドまたはコイルバネによりサドルバネ部材の先端部に取り付けられるため、カバーを使用しない時はコンパクトサイズに収まり、ちゃんとサドル空洞部に収納される。サドルに付着した塵埃を拭き落とす場合、カバーをサドル空洞部より手軽に必要な位置まで引っ張り出せば掃除は可能。掃除後サドルを被せる場合、カバーに貼り付けられたまたは縫い付けられたゴム製バンドの弾性により、大きさや形状の異なるサドルでも簡単にカバーすることが出来る。カバーをサドルより取り外す場合、同じくカバーに貼り付けられたまたは縫い付けられたゴム製バンドの弾性により、自動的にコンパクトサイズとなり、カバー全体が自転車サドルバネ部材の先端部に取り付けられたゴム製バンドまたはコイルバネの弾力に引っ張られ、自動的に空洞部に戻り、収納されることになる。長期間使用でカバーが汚れた場合、サドルのバネ部材の先端部よりカバーを取り外し洗濯し、再度取り付ければ引き続き使用することができる。
【発明を実施するための最良の形態】
【０００６】
上記のように、自転車サドルに付着した塵埃を拭き落とす場合や風雨などからサドルを保護する場合、ゴム製バンドまたはコイルバネを介しサドルバネ部材に取り付けられた自転車サドルカバーをサドル空洞部より手軽に引っ張り出し、カバーの開口端に植え込んだ獣毛や毛状の合成樹脂などで塵埃を拭き落とした後、カバーでサドルを被せ、サドルを塵埃や風雨から保護することが出来る。自転車を乗用する前に、カバーをサドルより簡単に取り外し、自転車サドルバネ部材の先端部に取り付けられたゴムバンドまたはコイルバネの弾力により、カバーは自動的にサドル空洞部に戻り、収納されることになる。
【実施例】
【０００７】
実施例について図面を参照して説明すると、図１において、大方円形状で防水性または撥水性繊維（７）の片面に、接着剤を塗りつけた複数のゴムバンド（６）を伸ばした状態で張り付けた後、糸で縫い合わせ、固定させる。これで得た一方が開放された袋状のものの開口端に獣毛や毛状の合成樹脂（８）などを植え込み、繊維（７）の中心部にゴム製バンド（９）またはコイルバネを取り付け、さらにゴム製バンド（９）またはコイルバネをサドルバネ部材（４）の先端部（５）に固定すれば、自転車サドルカバー（３）は完成する。自転車サドル（１）に付着した塵埃を拭き落とす場合、カバー（３）を自転車サドル（１）の空洞部（２）より必要な位置まで引っ張り出し、カバー（３）先端部に取り付けられた獣毛や毛状の合成樹脂（８）などで塵埃を拭き落とし、サドル（１）を塵埃や風雨から保護する場合、カバー（３）でサドル（１）を被せる。また、自転車を乗用する前にサドル（１）よりカバー（３）を取り外し、カバー（３）はゴム製バンド（９）またはコイルバネの弾力により自動的にサドル空洞部（２）に戻り、収納されることになる。
【図面の簡単な説明】
【０００８】
【図１】自転車サドルの側面図である。
【図２】自転車サドルの後視図である。
【図３】自転車サドルのバネ部材の先端部を示す平面図である。
【図４】自転車サドルカバーの製造方法を示す平面図である。
【図５】完成した自転車サドルカバーの側面図である。
【符号の説明】
【０００９】
１   自転車サドル  
２    自転車サドル空洞部    
３   自転車サドルカバー    
４   自転車サドルのバネ部材
５   自転車サドルのバネ部材の先端部  
６    繊維に張り合わせられたまたは縫い合わせられたゴム製バンドまたは弾性に優れるコイルバネなど帯状のもの
７    防水性または撥水性繊維
８    自転車サドルカバーの開口端に植え込んだ獣毛や毛状の合成樹脂など
９    自転車サドルのバネ部材の先端部にカバー全体を取り付けるゴム製バンドまたはコイルバネ
１０  スプリング
【図１】
2006168485.tif 000003
【図２】
2006168485.tif 000004
【図３】
2006168485.tif 000005
【図４】
2006168485.tif 000006
【図５】
2006168485.tif 000007